(57)【要約】【課題】  伝搬環境推定誤差による伝送品質の劣化を低減しながら送信アンテナ数のマルチビームを形成することを可能とし、マルチビーム形成のための制御を簡易化する。【解決手段】  重み決定装置３７０が、切り替え装置３５１〜３５ｎから出力される信号を入力信号とし、当該入力信号から広帯域の周波数帯の伝達係数行列を推定し、当該推定された伝達係数行列を用いてマルチビーム形成装置の重みを決定するものであり、受信装置において所定の伝送品質の基準値を最大とする重みを決定する。狭い周波数帯の伝搬環境をそれぞれ推定し、それらの伝達係数行列から重みを決定する。【選択図】      図１
2005252614.tif 000002
【特許請求の範囲】
【請求項１】
Ｎ個のアンテナ素子を用い、直交波周波数分割多重を用いたＦ個の周波数多重と、Ｌ個の空間多重による送信を行う空間多重伝送用送信装置であって、
前記各アンテナ素子に接続され、受信信号と送信信号を切り替える切り替え装置と、
前記切り替え装置に接続され、受信時に前記切り替え装置から出力される信号を入力信号とし、当該入力信号から広帯域の周波数帯の伝達係数行列を推定し、当該推定された伝達係数行列を用いてマルチビーム形成装置の重みを決定する重み決定装置と、
前記入力された信号に直並列変換を行い、周波数分割多重数Ｆ×空間多重数Ｌに振り分けるシリアルーパラレル変換装置と、
前記シリアルーパラレル変換装置の出力信号を入力信号とし、符号化を行い送信信号系列として逆フーリエ変換装置に出力するＦ×Ｌ個の送信装置と、
前記送信装置から入力されたＦ個の信号に逆フーリエ変換を行い、Ｌ個のマルチビーム形成装置にそれぞれ出力を行うＬ個の逆フーリエ変換装置と、
前記逆フーリエ変換装置の出力を入力信号とし、Ｎ個の信号に分割し、前記重み決定装置により決定された重み付けを行った後、Ｎ個の信号合成装置の対応するポートに出力を行うマルチビーム形成装置と、
前記Ｌ個のマルチビーム形成装置からＬ個のポートに入力された入力信号を重ね合わせ、前記切り替え装置の他方のポートに出力を行うＮ個の信号合成装置と、
を備えたことを特徴とする空間多重伝送用送信装置。
【請求項２】
前記重み決定装置は、
前記伝達係数行列とその複素共役転置行列の積を求め、この行列の固有ベクトルを算出し、前記マルチビーム形成装置において各信号にかける重みとして出力させる伝達環境行列演算手段を備えることを特徴とする請求項１に記載の空間多重伝送用送信装置。
【請求項３】
前記重み決定装置は、
対応するアンテナ素子において受信された受信信号にフーリエ変換を行い、Ｆ個の受信信号に変換するＮ個のフーリエ変換手段と、
前記Ｎ個のフーリエ変換装置の対応する周波数帯の受信信号を入力信号とし、その周波数帯での伝達係数行列を推定する伝達係数行列推定手段と、
前記伝達関数推定手段において推定されたＦ個の伝達係数行列より前記マルチビーム形成装置で各入力信号に乗算する重みを求める伝達環境行列演算手段を備えることを特徴とする請求項１または２に記載の空間多重伝送用送信装置。
【請求項４】
前記伝達係数行列演算手段は、
前記Ｆ個の伝達係数行列から、それぞれ伝達係数行列とその複素共役転置行列の積を求め、和をとった行列の固有ベクトルを算出し、前記マルチビーム形成装置において各信号に設定する重みとして出力することを特徴とする請求項３に記載の空間多重伝送用送信装置。
【請求項５】
前記伝達係数行列演算手段は、
前記Ｆ個の伝達係数行列から、伝達係数行列とその複素共役転置行列の積を求め、各行列に重み付けを行い、和をとった行列の固有ベクトルを算出し、前記マルチビーム形成装置において各信号に設定する重みとして出力することを特徴とする請求項３に記載の空間多重伝送用送信装置。
【請求項６】
前記伝達係数行列演算手段は、
前記伝達係数行列とその板素共役転置行列の積に乗算する重みとして、伝達係数行列とその複素共役転置行列の積の固有値の和を用い、前記マルチビーム形成装置において各信号に設定する重みとして出力することを特徴とする請求項５に記載の空間多重伝送用送信装置。
【請求項７】
前記伝達係数行列演算手段は、
前記伝達係数行列推定手段において推定されたＦ個の伝達係数行列から任意のＩ個の伝達係数行列を選択し、送信時の重みを算出し、前記マルチビーム形成装置において各信号に設定する重みとして出力することを特徴とする請求項３〜６のいずれか１項に記載の空間多重伝送用送信装置。
【発明の詳細な説明】
【技術分野】
【０００１】
本発明は、Ｎ個のアンテナ素子を用い、直交波周波数分割多重を用いたＦ個の周波数多重と、Ｌ個の空間多重による送信を行う空間多重伝送用送信装置に関する。
【背景技術】
【０００２】
直交波周波数分割多重送信装置は、直交性を利用し周波数軸上でのオーバーラップを許容することで中心周波数が異なる複数の搬送波を利用でき、高い周波数効率を実現する送信装置である。また、空間多重伝送用送信装置は，複数のアンテナ素子から異なる信号を送信することで，周波数帯域を増大することなしに高速伝送を実現する送信装置である。
図６に、従来のマルチビームを形成することで伝送品質を改善することのできる空間多重伝送用送信装置の内部構成の一例をブロック図で示す（例えば、非特許文献１参照）。
【０００３】
図６に示される従来の空間多重伝送用送信装置は、シリアルーパラレル変換装置１００と、送信装置１１１〜１１Ｌと、マルチビーム形成装置１２１〜１２Ｌと、信号合成装置１３１〜１３Ｎと、切り替え装置１４１〜１４Ｎと、送信用アンテナ素子１５１〜１５Ｎと、重み決定装置１６０から構成される．
送信信号はシリアルーパラレル変換器１００によって複数の信号系列Ｔ１〜ＴＬを生成し、送信装置１１１〜１１ＬによってＬ系列の送信信号系列が形成される。そして、マルチビーム形成装置１２１〜１２Ｌによって各々重み決定装置１６０により決定ざれた重みを用い、異なった指向性を形成するため各アンテナ素子への出力信号が形成される。更に、信号合成装置１３１〜１３Ｎにより同一のアンテナ素子に出力された信号を足し合わせ、切り替え装置１４１〜１４Ｎから送信用アンテナ素子１５１〜１５Ｎに出力し、同一の時刻、同一の周波数で送信される。
【０００４】
ここで重み決定装置１６０では、マルチビーム形成装置１２１〜１２Ｌで送信信号に設定する重みを以下のようにして決定する。
まず伝達係数行列Ｈの特異値分解(Ｈ＝ＵＤＶＨ)を行い，ユニタリ行列Ｖ及び特異値を要素とする対角行列を求める。そして、送信アンテナ数をＮ、受信アンテナ数をＭ、ＸをＭとＮのうち小さい方の数字とし、u１〜uxをＭ×１の列ベクトルとし、v１〜vxをＮ×１列のベクトルとし、上添え字Ｈは共役転置を表すものとすると，伝達係数行列は以下の演算式（１）で表される。
【０００５】
【数１】
2005252614.tif 000003
【０００６】
次に、特異値の大きい方からＬ個を選択し、各特異値に対応したユニタリ行列Ｖの列ベクトルv１〜vＬを重みとして選択し，各列ベクトルを用いて以下の演算式（２）によって各アンテナ素子１５１〜１５Ｎから送信する送信信号s１〜ｓＮを形成する。
【０００７】
【数２】
2005252614.tif 000004
【０００８】
ユニタリ行列Ｖは、伝達係数行列Ｈとその複素共役転置行列ＨＨの積ＨＨＨの固有ベクトルとなっている。
受信局では、例えば送信局で送信されたビームの数Ｌ以上の受信アンテナを用いて復号を行う。以下に受信アンテナ数をＮ、受信アンテナ数とビーム数をＬ（Ｎ＞Ｌ）とした場合の復号方法の例を示す。
受信局アンテナ素子において受信される信号をＲ１〜ＲＬ、送信アンテナｊで送信され、受信アンテナｉで受信したときの伝達係数をＨｉｊとし，各受信信号における雑音をｎ１〜ｎＬとすると、空間多重伝送用送信装置によって信号を送信すると受信信号Ｒ１〜ＲＬは以下の演算式（３）で表すことができる。
【０００９】
【数３】
2005252614.tif 000005
【００１０】
従って、受信装置では以下の演算式（４）を実行することによって送信信号を復号することが可能となる．
【００１１】
【数４】
2005252614.tif 000006
ここでＴ'１〜Ｔ'Ｌは受信装置で推定した送信信号である。
【００１２】
このようにすることによって，周波数帯域を増大せずにアンテナ数倍の伝送速度を実現することが可能であり、指向性利得が得られ、更に、Ｎ素子からＬビームを形成する(Ｎ≧Ｌ)ことによって良好なビームを選択できるためダイバーシチ効果も得ることができる。
送信ダイバーシチは、例えば、Space-Time-Transmission-Diversity（立川著「W-CDMA移動通信方式」丸善），あるいはSpace-Time-Block-Code (Naguib, et.al “Space-Time-Block-Codes: code design criteria ),Delay Diversityなどを用いることができる。
【００１３】
一方、図７に従来のマルチビームを形成することで伝送品質を改善する直交波周波数分割多重を用いた空間多重伝送用送信装置の一例をブロック図で示す。
ここに示される空間多重伝送用送信装置は、シリアルーパラレル変換装置２００と、送信装置２１１１〜２１ＦＬと、マルチビーム形成装置２１１１〜２１ＦＬと、信号合成装置２３１１〜２３ＮＦと、逆フーリエ変換装置２４１〜２４Ｎと、切り替え装置２５１〜２５Ｎと、送信用アンテナ素子２６１〜２６Ｎと、重み決定装置２７０から構成される。
【００１４】
送信信号はシリアルーパラレル変換器２００によってＭ×Ｌの信号系列に分けられ、更に、送信装置２１１１〜２１ＦＬによって符号化され、マルチビーム形成装置２２１１〜２２ＦＬに出力される。
マルチビーム形成装置２２１１〜２２ＦＬでは、それぞれ重み決定装置２７０により決定された重みを用い、異なった指向性を形成するための各アンテナ素子２６１〜２６Ｎへの出力信号が形成され，信号合成装置２３１１〜２３ＮＦにより同一のアンテナ素子に出力された信号を足し合わせ、切り替え装置２５１〜２５Ｎから送信用アンテナ素子２６１〜２６Ｎに出力され送信される。
ここで重み決定装置は、Ｆ個の周波数帯毎にＬ個のマルチビームにかける重みを上記した演算式（１）のようにユニタリ行列Ｖの列ベクトルｖを求め、マルチビーム形成装置２２１１〜２２ＦＬにおいて送信信号に重みを設定する。
【非特許文献１】(Miyashita, K.;Nishimura, T.;Ohgane, T.;Ogawa,Y.;Takatori, Y;Keizo Cho;"High data-rate transmission with eigenbeam-space division multiplexing (E-SDM) in a MIMO channel，"Vehicular Technology Conference, 2002. Proceedings. VTC 2002-Fall.2002 IEEE 56th, Volume:3,24-28 Sept. 2002  Pages:1302_1306 vol.3).
【発明の開示】
【発明が解決しようとする課題】
【００１５】
ところで、図６に示す従来例によれば、推定した伝達係数行列のみによって形成されるため、伝達関数推定に誤差が生じると伝送品質の大きな劣化を招くという問題があり、伝達関数推定誤差の大きい環境には適用できない。また受信アンテナ数が送信アンテナ数より少ない場合、形成できるマルチビームの数は受信アンテナ数に制限されてしまうため送信ダイバーシチを適用できない。
一方、図７に示す従来例によれば、図６に示す従来例と比較して、マルチビーム形成装置２１１〜２２ＦＬは周波数分割多重数倍必要となり、また、重み決定装置２７０内での演算量も多くなり、制御が複雑となる問題があった。
【００１６】
本発明は上記事情に鑑みてなされたものであり、全周波数帯の伝搬環境から決定した重みを用いて送信を行うことにより、伝搬環境推定誤差による伝送品質の劣化を低減しながら送信アンテナ数のマルチビームを形成することを可能とし、マルチビーム形成のための制御を簡易化することを可能とした空間多重伝送用送信装置を提供することを目的とする。
【課題を解決するための手段】
【００１７】
上記した課題を解決するために本発明は、Ｎ個のアンテナ素子を用い、直交波周波数分割多重を用いたＦ個の周波数多重と、Ｌ個の空間多重による送信を行う空間多重伝送用送信装置であって、前記各アンテナ素子に接続され、受信信号と送信信号を切り替える切り替え装置と、前記切り替え装置に接続され、受信時に前記切り替え装置から出力される信号を入力信号とし、当該入力信号から広帯域の周波数帯の伝達係数行列を推定し、当該推定された伝達係数行列を用いてマルチビーム形成装置の重みを決定する重み決定装置と、前記入力された信号に直並列変換を行い、周波数分割多重数Ｆ×空間多重数Ｌに振り分けるシリアル−パラレル変換装置と、前記シリアル−パラレル変換装置の出力信号を入力信号とし、符号化を行い送信信号系列として逆フーリエ変換装置に出力するＦ×Ｌ個の送信装置と、前記送信装置から入力されたＦ個の信号に逆フーリエ変換を行い、Ｌ個のマルチビーム形成装置にそれぞれ出力を行うＬ個の逆フーリエ変換装置と、前記逆フーリエ変換装置の出力を入力信号とし、Ｎ個の信号に分割し、前記重み決定装置により決定された重み付けを行った後、Ｎ個の信号合成装置の対応するポートに出力を行うマルチビーム形成装置と、前記Ｌ個のマルチビーム形成装置からＬ個のポートに入力された入力信号を重ね合わせ、前記切り替え装置の他方のポートに出力を行うＮ個の信号合成装置と、を備えたことを特徴とする。
【００１８】
また、本発明において、前記重み決定装置は、前記伝達係数行列とその複素共役転置行列の積を求め、この行列の固有ベクトルを算出し、前記マルチビーム形成装置において各信号にかける重みとして出力させる伝達環境行列演算手段を備えることを特徴とする。
【００１９】
また、本発明において、前記重み決定装置は、対応するアンテナ素子において受信された受信信号にフーリエ変換を行い、Ｆ個の受信信号に変換するＮ個のフーリエ変換手段と、前記Ｎ個のフーリエ変換装置の対応する周波数帯の受信信号を入力信号とし、その周波数帯での伝達係数行列を推定する伝達係数行列推定手段と、前記伝達関数推定手段において推定されたＦ個の伝達係数行列より前記マルチビーム形成装置で各入力信号に乗算する重みを求める伝達環境行列演算手段を備えることを特徴とする。
【００２０】
また、本発明において、前記伝達係数行列演算手段は、前記Ｆ個の伝達係数行列から、それぞれ伝達係数行列とその複素共役転置行列の積を求め、和をとった行列の固有ベクトルを算出し、前記マルチビーム形成装置において各信号に設定する重みとして出力することを特徴とする。
【００２１】
また、本発明において、前記伝達係数行列演算手段は、前記Ｆ個の伝達係数行列から、伝達係数行列とその複素共役転置行列の積を求め、各行列に重み付けを行い、和をとった行列の固有ベクトルを算出し、前記マルチビーム形成装置において各信号に設定する重みとして出力することを特徴とする。
【００２２】
また、本発明において、前記伝達係数行列演算手段は、前記伝達係数行列とその板素共役転置行列の積に乗算する重みとして、伝達係数行列とその複素共役転置行列の積の固有値の和を用い、前記マルチビーム形成装置において各信号に設定する重みとして出力することを特徴とする。
【００２３】
また、本発明において、前記伝達係数行列演算手段は、前記伝達係数行列推定手段において推定されたＦ個の伝達係数行列から任意のＩ個の伝達係数行列を選択し、送信時の重みを算出し、前記マルチビーム形成装置において各信号に設定する重みとして出力することを特徴とする。
【発明の効果】
【００２４】
本発明によれば、直交波周波数分割多重を行う場合において、広い周波数帯の伝搬環境から重みを決定してマルチビームによる送信を行うことで、伝搬環境推定誤差による伝送品質の劣化を低減しながら送信アンテナ数のマルチビームを形成することを可能とし、また、マルチビーム形成のための制御を簡易化することができる。
更に、狭い周波数帯の伝搬環境をそれぞれ推定し、それらの伝達係数行列から重みを決定することで、送信アンテナ数と同数までのマルチビームを形成することができ、送信ダイバーシチを適用することができる。
【発明を実施するための最良の形態】
【００２５】
以下、図１〜図５を参照しながら本発明実施形態について詳細に説明する。図１は本発明の一実施形態を示すブロック図であり、伝搬環境誤差の大きい環境において空間多重伝送の伝送品質の劣化を防ぐ空間多重伝送用送信装置の構成が示されている。
図１中、３００は送信信号発生装置、３１１１〜３１ＬＦは送信装置、３２１〜３２Ｌは逆フーリエ変換装置、３３１〜３３Ｌはマルチビーム形成装置、３４１〜３４Ｎは信号合成装置、３５１〜３５Ｎは切り替え装置、３６１〜３６Ｎはアンテナ素子、３７０は重み決定装置である。
【００２６】
上記構成において、シリアルーパラレル変換装置３００により、シリアルーパラレル変換され周波数分割多重数Ｆ×空間多重数Ｌに振り分けられた送信信号は、それぞれ送信装置３１１１〜３１ＬＦにより符号化され、送信信号系列としてＦ個ずつ逆フーリエ変換装置３２１〜３２Ｌに出力される。
逆フーリエ変換装置３２１〜３２Ｌに入力された信号は逆フーリエ変換され、それぞれマルチビーム形成装置３３１〜３３Ｌに出力される。マルチビーム形成装置に入力された信号は重み決定装置３７０により決定される重みＶｋ(ｋ=１〜Ｌ)を、アナログもしくはデジタルで乗算し、信号合成装置３４１〜３４Ｎにおいて同一のアンテナ素子に出力する信号が加算され、切り替え装置３５１〜３５Ｎを介してアンテナ素子３６１〜３６Ｎから送信される。
重み決定装置３７０は、伝達係数行列推定手段３７１と、伝達係数行列演算手段３７２から構成される。伝達係数行列推定手段３７１は、切り替え装置３５１〜３５Ｎの受信時の出力を入力信号とし、広帯域な周波数帯での伝達係数行列を推定し、伝達係数行列演算手段３７２において所定の伝送品質を満たす重みを決定する。
【００２７】
ここで、Ｎ個のアンテナ素子を持つ送信装置と、Ｍ個のアンテナ素子数を持つ受信装置間において直交波周波数分割多重と空間多重を用いた通信を考える。
まず受信装置より、既知の信号Ｔを広帯域な搬送波により送信すると、送信装置では受信される受信信号Ｒからその周波数帯での伝達係数行列Ｈは以下の演算式（５）（６）によって算出される。この上りの伝達関数行列ｈより下りの伝達係数行列Ｈは以下の演算式（７）によって算出される。
【００２８】
【数５】
2005252614.tif 000007
【００２９】
【数６】
2005252614.tif 000008
【００３０】
【数７】
2005252614.tif 000009
【００３１】
伝達係数行列Ｈｉｊは、送信装置のアンテナ素子＃jから受信装置の＃iのアンテナ素子間における伝達係数の推定結果を表している。
例えば、伝達係数行列演算手段３７２は、各周波数帯における伝達係数行列から、その伝搬環境の到来波方向、到来波数、レベル、遅延の推定をＭＵＳＩＣ法（Multiple Signal Classification）やＥＳＰＲＩＴ法（Estimation of Signal Parameters via Rotational Invariance Techniques）(Paulaj et al, 'ESPRIT−a subspace rotation approach to signal parameter estimation', IEEE Proceeding,74(7), 1044-1045, July 1986)を用いて推定し、あらかじめ準備された重みの中から、その環境において所定の伝送品質の基準値を最大とするような重みを選択し、マルチビーム形成装置３３１において乗算される重みとして出力する。
上記した伝達係数行列演算手段３７２において、例えば、伝達係数行列とその複素共役転置行列の積ＨｋＨｋＨを求め、得られた行列の固有ベクトルを重み値として適用する。このように重みを決定することで、周波数選択性フェージングによる伝送品質の劣化を低減させることができる。
【００３２】
重み決定装置３７０の他の実施形態を図２に示す。ここに示す重み決定装置３７０は、フーリエ変換装置４０１〜４０Ｎと、伝達係数行列推定手段４１１〜４１Ｆと、伝達係数行列演算手段４２０で構成される。
上記構成において、フーリエ変換装置４０１〜４０Ｎは、切り替え装置３５１〜３５Ｎの受信時の出力を入力信号としてフーリエ変換を行い、周波数帯毎に分離し、伝達係数推定手段４１１〜４１Ｆに出力する。また、伝達係数行列推定手段４１１〜４１Ｎは、各周波数帯において伝達係数行列を算出し、伝達係数行列演算装置４２０に出力する。伝達係数行列演算手段４２０は、推定された伝達係数行列から送信時の重みを決定する。
【００３３】
伝達係数行列演算手段４２０は、各周波数帯の伝達係数行列を用いて、送信時に全ての周波数帯で活用する重みを算出することで伝搬環境推定誤差による伝送品質の劣化を低減する。例えば、各周波数帯における伝達係数行列から、その伝搬環境の到来彼方向、到来波数、レベル、遅延の推定を上記したＭＵＳＩＣ法やＥＳＰＲＩＴ法を用いて推定し、あらかじめ準備された重みの中から、その環境において所定の伝送品質基準値を最大とする重みを選択し、マルチビーム形成装置３３１〜３３Ｌにおいて乗算される重みとして出力する。
上記した伝達係数行列演算手段４２０において、ある周波数帯＃k(1≦k≦F)での伝達係数行列をＨｋとすると、例えば、伝達係数行列Ｈｋとその複素共役転置行列ＨｋＨの積の和ΣＨｋＨｋＨから、固有ベクトルを重みとして適用する。このように重みを決定することで、周波数選択性フェージングによる伝送品質の劣化を低減させることができ、また受信アンテナ数に関係なく送信アンテナ数Ｎのマルチビームを形成することができることから送信ダイバーシチを適用することができる。
【００３４】
また、上記した伝達係数行列演算手段４２０において、各周波数帯の伝達係数行列Ｈから計算されたＨｋＨｋＨに重みＷｋ乗算したものの和ΣｗｋＨｋＨｋＨを求め、その固有ベクトルを重み値として適用する。
重みｗｋとしては例えば、上記した伝達係数行列演算手段４２０において、伝達係数行列Ｈｋから計算されたＨｋＨｋＨの固有値λｋ１〜λｋＸを求め、大きいものから順に空間多重数Ｌ個の和を以下の演算式（８）により計算する。
【００３５】
【数８】
2005252614.tif 000010
上記Λｋを重みＷｋとしてΣΛｉｈｉｈｉＨを算出しその固有ベクトルを重み値として適用する。
【００３６】
また、上記した伝達係数行列演算手段４２０において、伝達係数行列推定手段４１１〜４１Ｆで推定された伝達係数行列ｈｋのうち任意のＩ個（I≦F）の伝達係数行列を用いて重みを決定する。
更に、全周波数帯に同じ重みを適用するという観点で、従来例で示した図７のマルチビーム形成装置において、空間多重における＃ｋのマルチビームにかかわるマルチビーム形成装置２２ｋ１〜２２ｋＦで用いる重みを同一にすることでも同じ効果を得ることができる。また、このとき周波数帯でマルチビーム形成装置をいくつかの組に分け、それぞれの組で同じ重みを適用するような制御方法を採用することによっても伝搬環境行列推定誤差による伝送品質の劣化を低減することができる。
【００３７】
本発明の実施による効果を計算機シミュレーションにより実行した結果を以下に説明する。ここでは、送信アンテナ素子数を８、受信アンテナ素子数を２とし、上りと下りで異なる周波数を用い直交波周波数分割多重及び空間分割多重による通信を考える。
伝搬路モデルとしては到来波を１００波とし、図３に示すように散乱物の集まりである５つのクラスタが送信機及び受信機のまわりに存在することとし、それぞれ角度広がりを２５°とした。伝搬環境は仲上−ライスフェージングとし、Ｋファクタを６ｄＢ、遅延スプレッドを１００ｎｓ、遅延波の電力分布を指数で与えた。そして、送信電力を３０ｄＢとし、クラスタの中心方向及び各到来波の到来方向に位相をランダムに与えて１０００回試行し、誤り率の累積確立をとった。このときシミュレーションに用いた諸元表を図５に示す。
【００３８】
送信装置は２つのマルチビームを形成し、送信を行うものとし、従来例によるものは、各周波数帯において上り伝搬環各周波数で得られた伝達係数行列を用い、特異値分解によるマルチビームを形成するものとし、本実施形態によるものは、＃ｋの周波数帯で推定された伝達係数行列ｈｋとその複素共役転置行列の積ＨｋＨｋＨの和ΣＨｋＨｋＨの固有ベクトルの中から固有値の多きいベクトル２つを送信時の重みとして全周波数帯で活用するものとした。
固有値の大きい方(Signal1)と小さい方(Signal2)のマルチビームにそれぞれ変調方式１６ＱＡＭ（Quadrature Amplitude Modulation）とＱＰＳＫ（Quadrature Phase Shift Keying）を適用した際の誤り率の確立分布を図４に示す。図４において、縦軸はＣＰ（Cumulative Provability）、横軸はＢＥＲ（Bit Error Rate: 誤り率)を表す。それぞれ誤り率１０−４値で１２％、８％の改善が見られる。
【００３９】
以上説明のように本発明によれば、重み決定装置３７０が、切り替え装置３５１〜３５ｎから出力される信号を入力信号とし、当該入力信号から広帯域の周波数帯の伝達係数行列を推定し、当該推定された伝達係数行列を用いてマルチビーム形成装置の重みを決定するものであり、受信装置において所定の伝送品質の基準値を最大とする重みを決定することを特徴とするものである。このことにより、直交波周波数分割多重を行う場合、広い周波数帯の伝搬環境から重みを決定してマルチビームによる送信を行い、伝搬環境推定誤差による伝送品質の劣化を低減し、演算量を減らすことができる。
また、狭い周波数帯の伝搬環境をそれぞれ推定し、それらの伝達係数行列から重みを決定することで、送信アンテナ数と同数までのマルチビームを形成することができ、送信ダイバーシチを適用することができる。
【図面の簡単な説明】
【００４０】
【図１】本発明の実施形態における空間多重伝送用送信装置の構成を示すブロック図である。
【図２】図１における重み決定装置の他の実施形態を示すブロック図である。
【図３】計算機シミュレーションでの伝搬環境モデルを示す図である。
【図４】誤り率の確立分布について、本発明実施形態と従来例とを対比して示した図である。
【図５】計算機シミュレーションに用いた諸元表を示す図である。
【図６】従来の空間多重伝送用送信装置の内部構成の一例を示すブロック図である。
【図７】従来の空間多重伝送用送信装置における内部構成の他の例を示すブロック図である。
【符号の説明】
【００４１】
３００…シリアルーパラレル変換装置、３１１１〜３１ＬＦ…送信装置、３３１〜３３Ｌ…マルチビーム形成装置、３４１〜３４Ｎ…信号合成装置、３５１〜３５Ｎ…切り替え装置、３６１〜３６Ｎ…アンテナ素子、３７０…重み決定装置、３２１〜３２Ｌ…逆フーリエ変換装置、３７１、４１１〜４１Ｆ…伝達係数行列推定手段、３７２、４２０…伝達係数行列演算手段、４０１〜４０Ｎ…フーリエ変換装置
【図１】
2005252614.tif 000011
【図２】
2005252614.tif 000012
【図３】
2005252614.tif 000013
【図４】
2005252614.tif 000014
【図５】
2005252614.tif 000015
【図６】
2005252614.tif 000016
【図７】
2005252614.tif 000017